(57)【要約】【課題】  プロが撮影したのと同程度の写真をプロ以外の者でも簡単に撮影できる写真撮影システムを提供すると共に、どのような場所に設置する場合でも、最適な条件に撮影機材の位置を設定可能な写真撮影システムの提供。【解決手段】  複数のフレームを組み合わせて構成される、被写体を収納可能な撮影スペースを内部に有する写真撮影システムであって、前記複数のフレームの内、被写体が撮影装置に向かう面を構成する左右及び上フレームに、前記各フレームに沿って位置を変化可能な、被写体に対して間接照明を付与し得るストロボが設置されている写真撮影システム。【選択図】  図１
2006154117.tif 000002
【特許請求の範囲】
【請求項１】
複数のフレームを組み合わせて構成される、被写体を収納可能な撮影スペースを内部に有する写真撮影システムであって、前記複数のフレームの内、被写体が撮影装置に向かう面を構成する左右及び上フレームに、前記各フレームに沿って位置を変化可能な、被写体に対して間接照明を付与し得るストロボが設置されている写真撮影システム。
【請求項２】
前記ストロボが、細長い円筒形状である、請求項１記載の写真撮影システム。
【請求項３】
更に、被写体の頭上に位置するフレームに、被写体に対して間接照明を付与し得るストロボが設置されている、請求項１又は２記載の写真撮影システム。
【請求項４】
前記ストロボが、細長い角型形状である、請求項３記載の写真撮影システム。
【発明の詳細な説明】
【技術分野】
【０００１】
本発明は、プロのカメラマンでなくとも、被写体自身又は被写体の関係者（例えば家族）自身で、プロのカメラマンが撮影した場合と同程度の写真を簡単に撮影可能な写真撮影システムに関するものである。
【背景技術】
【０００２】
現在、七五三や入学式等の記念に記録写真を残そうと考える場合、特に、一生に一回の記念日の場合には、できるだけ綺麗な写真を一生の記録として残したいとの思いから、写真館に出向き、プロのカメラマンに撮影してもらうのが通常である。当該写真館では、被写体を撮影する際にストロボ（フラッシュ）を用いるが、綺麗な写真を撮影するためには、まんべんなくストロボの光を被写体に照らす必要があり、そのために、撮影の前には照度計で確認をとりながら、ストロボの位置等の決定を行うことがしばしば行われている。しかも、ストロボの光が直接照明として被写体に当たるよりも、間接照明として被写体に当たる方が、綺麗な写真が撮影できることが知られている。したがって、写真館の中では、例えば、反射板等にストロボの光を当てて、その反射光で被写体を照らす手法を行っているところもある。このように、プロのカメラマンでない者が、綺麗な写真を撮影することは、ある程度の知識と設備を備えていないと非常に難しく、したがって、多少高額であっても、写真館でプロのカメラマンに撮影を依頼せざるを得ないという状況にある。
【０００３】
加えて、写真館以外の場所（例えば、記念写真を希望する人が多く集まる場所、例えば、ベビー用品販売デパート）で、綺麗な写真を撮影するためのシステムを構築することは容易ではない。即ち、そのシステムを配置する部屋の大きさや形状、照明の明るさ等により、他の場所では理想的とされる位置にカメラやストロボを配置しても、当該部屋においては、必ずしも理想的な位置とはならず、これらの位置を変更する必要が生じる。この場合、持ち込んだ機材（例えば、ストロボを固定するスタンドの大きさ）や部屋の構造等によっては、カメラやストロボの位置を自由に変更できない事態に陥る場合もある。
【特許文献１】特開２０００−６６２９６
【発明の開示】
【発明が解決しようとする課題】
【０００４】
そこで、本発明は、プロが撮影したのと同程度の写真をプロ以外の者でも簡単に撮影できる写真撮影システムを提供すると共に、どのような場所に設置する場合でも、最適な条件に撮影機材の位置を設定可能な写真撮影システムを提供することを目的とする。
【課題を解決するための手段】
【０００５】
本発明（１）は、複数のフレームを組み合わせて構成される、被写体を収納可能な撮影スペースを内部に有する写真撮影システムであって、前記複数のフレームの内、被写体が撮影装置に向かう面を構成する左右及び上フレームに、前記各フレームに沿って位置を変化可能な、被写体に対して間接照明を付与し得るストロボが設置されている写真撮影システムである。
【０００６】
ここで、当該撮影スペースは、複数のフレームのみを組み合わせて構成されていても、又は、複数のフレームと他の部材とを組み合わせて構成されていてもよい。ここで、当該撮影スペースのすべての辺が、フレームにより構成されている必要はない。即ち、例えば、直方体スペースの場合、直方体を構成する辺の数は１２個であるが、必須となるフレームは、被写体が撮影装置に向かう面を構成する左右及び上フレームのみであり、これ以外の辺に関しては、フレームが存在していてもいなくてもよい。しかも、これ以外の辺に関しては、フレームの代わりに他の部材（例えば、ロープ）を用いることにより、スペースの内外を視覚的に明確にするように構成してもよい。加えて、フレーム（場合によりフレーム＋他の部材）により形成されたスペースに他の部材を付加した態様（例えば、ビニールや布等をカバーした態様）も、本発明にいう「撮影スペース」の概念に包含される。加えて、前記例では、撮影スペースは直方体であるが、形状はこれに限定されず、被写体が撮影装置（カメラ）に向かう面が平面である限り、半円状でも流面形状でもよい。
【０００７】
本発明（２）は、前記ストロボが、細長い円筒形状である、前記発明（１）の写真撮影システムである。
【０００８】
ここで、「細長い」の程度は、左右のフレームに設置されたストロボに関しては、主に被写体の身長に関係する。これは、左のフレームに設置されたストロボは、被写体の左部分をまんべんなく照らす必要があり、また、右のフレームに設置されたストロボは、被写体の右部分をまんべんなく照らす必要があるからである。ストロボの大きさに関しては、通常の使用形態においては、被写体として子供から大人まで対応可能とすることが好適であるので、例えば、長さが１ｍ程度で径が２０ｃｍ程度とすればよい。また、上のフレームに設置されたストロボに関しては、主に撮影スペースの横幅（上フレームの長さに相当）に関係する。これは、上に位置するフレームに設置されたストロボは、撮影時に被写体がスペース内の広範囲（通常、被写体が身を置くと予想される範囲）をまんべんなく照らす必要があるからである。例えば、当該フレームに設置されているストロボの大きさは、例えば、長さが１ｍ程度で径が２０ｃｍ程度とすればよい。尚、キャッチライト効果の観点からは、すべてが同一サイズであることが好適である。
【０００９】
また、「円筒形状」とは、被写体に向く方向が円筒であり、広角効果を奏するようなものであればよく、すべてが円筒である必要はない（即ち、断面形状が、例えば半円や扇形のような、完全な円ではない態様も包含する概念である）。これも前記同様、左のフレームに設置されたストロボは、撮影時に被写体の左部分をまんべんなく照らす必要があり、右のフレームに設置されたストロボは、撮影時に被写体の右部分をまんべんなく照らす必要があり、上のフレームに設置されたストロボは、撮影時に被写体の上半身部分をまんべんなく照らす必要があるからである。
【００１０】
本発明（３）は、更に、被写体の頭上に位置するフレームに、被写体に対して間接照明を付与し得るストロボが設置されている、前記発明（１）又は（２）の写真撮影システムである。
【００１１】
本発明（４）は、前記ストロボが、細長い角型形状である、前記発明（３）の写真撮影システムである。
【００１２】
ここで、「細長い」の程度は、主に撮影スペースの横幅（上フレームの長さに相当）に関係する。これは、頭上に位置するフレームに設置されたストロボは、撮影時に被写体がスペース内の広範囲（通常、被写体が身を置くと予想される範囲）をまんべんなく照らす必要があるからである。例えば、長さが１ｍ強で幅が３０ｃｍ程度が好適である。
【００１３】
また、「角型形状」とは、被写体に向く方向が角型であればよく、すべてが角型である必要はない。これは、頭上に設置されたストロボは、撮影時に被写体の頭部を上からピンポイント的に強い光で照射する必要があるからである。
【発明の効果】
【００１４】
本発明（１）によれば、被写体が撮影装置に向かう面を構成する左右及び上フレームにストロボが配置されているので、被写体の目が綺麗に写る「キャッチライト」といわれる現象を簡単に起こすことができ、更には、当該ストロボが被写体に対して間接照明を付与し得るものであるので、被写体をより美しく撮影することができる。このように、プロのカメラマンによらなくても、被写体自身又は被写体の関係者により簡単に美しい写真が撮影できるという効果を奏する。加えて、前記ストロボは、前記各フレームに沿って位置を変化可能に構成されているので、設置場所に応じて最適な条件に設定することが可能となる、即ち、場所を選ばずに本写真撮影システムを構築できるという効果も奏する。
【００１５】
本発明（２）によれば、前記効果に加え、撮影時に被写体の左右部分がまんべんなく照らされるので、より一層綺麗な写真が撮影可能となるという効果を奏する。
【００１６】
本発明（３）によれば、撮影時に被写体の頭部が照らされるので、特に、日本人のような黒髪の場合に通常の撮影では暗くなりがちな、被写体の頭部が撮影時にスポット的に照らされるので、より綺麗に撮影できるという効果を奏する。更に、前方にストロボが設置されており、当該ストロボからの光による被写体の影を、頭部からの光により消すことが可能となり、その結果、更に綺麗な写真を撮影することができるという効果を奏する。
【００１７】
本発明（４）によれば、撮影時により強力な光が頭上から照射されるので、前記効果（顔を綺麗に撮影できる、影を消す）が更に高まるという効果を奏する。
【発明を実施するための最良の形態】
【００１８】
以下、本発明に係る最良の形態について、図１〜図３を参照しながら説明する。尚、本発明の技術的範囲は、以下の最良形態に限定されるものではない。まず、図１は、本最良形態に係る写真撮影システムの外観図である。ここで、図１中の各要素の説明をすると、１−１は左フレーム、１−２は右フレーム、１−３は上フレーム、１−４は頭上フレームであり、１−５はその他のフレームである。ここで、各フレームの長さは、例えば、１−１及び１−２は２．４ｍ、１−３及び１−４は２．２ｍである。また、これらフレームから構成される撮影スペースは、例えば、幅２．２ｍ×奥行き３ｍ×高さ２．４ｍである。更に、フレーム１−４は、例えば、正面から１．３ｍの位置に設置されている。ここで、これらフレームは、スペースを形成すると共にストロボを支持するため、ある程度の強度が必要であり、例えば、金属のような強度を有する素材を用いることが好適である（例えば鋼管パイプ）。加えて、各フレーム同士は、物理的に一体化していても（例えば、一本の長い金属棒を折り曲げて、複数のフレームを形成する態様）、溶接等で接合させたり継手ボルト留め等で連結させてもよい。
【００１９】
次に、図２は、左フレーム１−１、右フレーム１−２、上フレーム１−３に設置されるストロボ２の外観図（透視図）である。図２（ａ）に示されるように、当該ストロボ２は、反射板２ａと、当該反射板に対向する位置に設置された２本のストレート管（放電管）２ｂを内部に備えている（尚、ストレート管の代わりに、サークル管やヘリカル管を採用してもよい）。そして、撮影時には、ストレート管（放電管）２ｂから放出される光が反射板２ａで反射し、当該反射光が、ディフューザ２ｃを介して被写体を照射することになる。ここで、当該ストロボ２の形状としては、円筒形を採用している。このように構成することにより、ストロボ２より放出される光を、撮影スペースの広い範囲に拡散させることが可能になる。尚、当該ストロボ２は、非固定状態においてはフレームに沿って移動可能であり、設置位置が決まったらクランプ２ｄ｛図２（Ｃ）参照｝によりフレーム上に固定する。
【００２０】
次に、図３は、頭上フレーム１−４に設置されるストロボ３の外観図（透視図）である。図に示されるように、当該ストロボ３は、反射板３ａと、当該反射板に対向する位置に設置された２本のストレート管（放電管）３ｂを内部に備えている（尚、ストレート管の代わりに、サークル管やヘリカル管を採用してもよい）。そして、撮影時には、ストレート管３ｂから放出される光が反射板３ａで反射し、当該反射光が、ディフューザ３ｃを介して被写体を照射することになる。ここで、当該ストロボ３の形状としては、角型（長方形型）を採用している。このように構成することにより、ストロボ３より放出される光を、撮影スペースの特定部位に絞って強力に照射させることが可能になる。尚、当該ストロボ３は、非固定状態においてはフレームに沿って移動可能であり、設置位置が決まったらクランプ３ｄ｛図３（Ｃ）参照｝によりフレーム上に固定する。
【００２１】
再び図１に戻ると、撮影装置（カメラ）４に関しては、被写体自身が撮影する場合には、オートで撮影可能なものか、又は、リモコン等により被写体の位置から撮影指示を出すこことが可能なものであることが好適である。また、被写体の関係者（例えば家族）が撮影する場合には、前記オートシステムやリモコンシステムは必ずしも必要ではない。但し、オートフォーカス等、難しい操作を行うことなく撮影可能なものであることが好適である。また、被写体の背景として、スクリーン５が、撮影スペース内に設置されている。
【００２２】
尚、本写真撮影システムの組み立てに際しては、照度計を用いながら、各フレームにストロボを設置することが好適である。即ち、本写真撮影システムの撮影スペース内、特に通常被写体が身を置くことが想定される可能性があるすべての範囲において、ストロボからの光がまんべんなく照射されることが、綺麗な写真をとるために求められる。したがって、照度計で当該スペースでの光量をチェックしながら、前記作用を奏するのにベストな位置に各ストロボを配置するようにする。
【００２３】
また、本撮影によりプリントされる写真は、いわゆる四つ切や六つ切といった、これまでは写真館で撮影しないと入手できなかったような高級なタイプであってもよく、また、シールに写真を印刷するタイプ（いわゆるシールプリント）であってもよく、或いは、これらを組み合わせたものであってもよい。
【図面の簡単な説明】
【００２４】
【図１】図１は、本最良形態に係る写真撮影システムの外観図である。
【図２】図２は、本最良形態に係る写真撮影システムにおける、左右及び上のフレームに設置されるストロボの外観図（透視図）である。尚、図２（Ａ）は、上面図、図２（Ｂ）は正面図、図２（Ｃ）は側面図である。
【図３】図３は、本最良形態に係る写真撮影システムにおける、頭上のフレームに設置されるストロボの外観図（透視図）である。尚、図３（Ａ）は、上面図、図３（Ｂ）は正面図、図３（Ｃ）は側面図である。
【符号の説明】
【００２５】
１−１  左フレーム
１−２  右フレーム
１−３  上フレーム
１−４  頭上フレーム
１−５  その他のフレーム
２、３  ストロボ
２ａ、３ａ  反射板
２ｂ、３ｂ  ストレート管
４  撮影装置
５  スクリーン
【図１】
2006154117.tif 000003
【図２】
2006154117.tif 000004
【図３】
2006154117.tif 000005